(57)【特許請求の範囲】
【請求項１】
各構成要素が駆動可能な通常モードと前記通常モードよりも消費電力の少ない第１の省電力モードとに切換え可能な画像形成装置であって、
時刻を計時する計時部と、
前記画像形成装置の使用状態を検知する検知部と、
前記計時部により計時される時刻が複数設定されたオン時刻のうち一のオン時刻に至った場合に前記第１の省電力モードにある画像形成装置を前記通常モードに切換えるとともに、前記計時部により計時される時刻が前記オン時刻に至った後予め設定された設定時間を経過した場合に前記通常モードにある画像形成装置を前記第１の省電力モードに切換える切換えパターンを各オン時刻に至る都度実行し、前記切換えパターンの実行中に、前記計時部により計時される時刻が前記オン時刻に至った後第１の判断時間を経過するまでの間、前記検知部により前記使用状態が継続して検知されなかった場合、前記画像形成装置を前記第１の省電力モードよりも消費電力の少ない第２の省電力モードに切換える制御を行う制御部と、
を備え、
前記第１の判断時間は前記設定時間に等しいことを特徴とする画像形成装置。
【請求項２】
請求項１に記載の画像形成装置において、
前記制御部は、前記切換えパターンの実行中に、前記計時部により計時される時刻が前記オン時刻に至った後前記第１の判断時間よりも短い第２の判断時間を経過するまでの間、前記検知部により前記使用状態が継続して検知されなかった場合、前記画像形成装置を前記第１の省電力モードに切換え、前記計時部により計時される時刻が前記第２の判断時間を経過した後前記第１の判断時間を経過するまでの間、前記検知部により前記使用状態が継続して検知されなかった場合に前記画像形成装置を前記第１の省電力モードから前記第２の省電力モードに切換える制御を行うことを特徴とする画像形成装置。
【発明の詳細な説明】
【技術分野】
【０００１】
本発明は、画像形成装置に関する。
【背景技術】
【０００２】
プリンタや複写機等の画像形成装置は、環境への配慮という観点から省電力化を図ることが社会的に要請されている。
【０００３】
そのため、例えば、画像形成装置に備わる各構成要素が駆動可能な通常モードより、各構成要素の中で印刷処理を行う構成など消費電力の大きな構成を停止させることで消費電力を抑えた第１の省電力モード（スリープモード）に切換え可能な画像形成装置がある。
このような画像形成装置としては、ユーザの画像形成装置に対する使用状態に応じて、画像形成装置を省電力効果の異なる複数のスリープモードへ切換えられるものが知られている（特許文献１等参照）。
【０００４】
また、ウィークリータイマ機能（以下、ＷＴ機能と称する）を用いて、上記通常モードとスリープモードとを所定時間ごとに繰り返し切換えられる画像形成装置がある。ここで、ＷＴ機能とは、曜日や日付などに応じて予め複数設定された時刻の何れかの時刻に至ると、画像形成装置のモードを通常モードとスリープモードとに交互に切換える機能である。具体的には、ＷＴ機能は、現在時刻が予め設定されたオン時刻に至ると、画像形成装置をスリープモードから通常モードに切換えるとともに、現在時刻がオン時刻に至った後予め設定された設定時間を経過した場合に画像形成装置をスリープモードに切換える動作をオン時刻に至る都度実行する機能である。
つまり、例えば、ユーザによる画像形成装置の利用頻度が低いと予測される時間帯に至ると、当該ＷＴ機能によって画像形成装置がスリープモードに切換わるよう事前に設定しておくことで、画像形成装置は省電力化する。
【０００５】
このようなＷＴ機能を備えた画像形成装置の一例として、印刷ジョブ取得後の経過時間等によって定まるポイントに応じて設定時間（スリープモードへの切換え時間）を適宜に設定できるものがある（特許文献２等参照）。当該画像形成装置によると、画像形成装置の利用頻度が低いと想定されるタイミングで素早くスリープモードに切換えることができる。
【先行技術文献】
【特許文献】
【０００６】
【特許文献１】特開２０１０−３２６６６号公報
【特許文献２】特開２００８−３１８６号公報
【発明の概要】
【発明が解決しようとする課題】
【０００７】
しかしながら、上記特許文献２に記載の画像形成装置によると、例えば、ユーザが長期に亘って画像形成装置を一切使用しないような状況で、当該画像形成装置に誤ってＷＴ機能を設定した場合、通常モードとスリープモードとが交互に繰り返されることで、不要な電力を消費する事態が発生する。つまり、画像形成装置が本来通常モードやスリープモード以下の消費電力しか必要としない状況にあるにもかかわらず、ＷＴ機能を設定することでかえって消費電力が嵩むという問題があった。
【０００８】
そこで、本発明の課題は、ＷＴ機能が設定された画像形成装置の電力消費を極力省くことを目的とする。
【課題を解決するための手段】
【０００９】
以上の課題を解決するため、請求項１に記載の発明は、各構成要素が駆動可能な通常モードと前記通常モードよりも消費電力の少ない第１の省電力モードとに切換え可能な画像形成装置であって、時刻を計時する計時部と、前記画像形成装置の使用状態を検知する検知部と、前記計時部により計時される時刻が複数設定されたオン時刻のうち一のオン時刻に至った場合に前記第１の省電力モードにある画像形成装置を前記通常モードに切換えるとともに、前記計時部により計時される時刻が前記オン時刻に至った後予め設定された設定時間を経過した場合に前記通常モードにある画像形成装置を前記第１の省電力モードに切換える切換えパターンを各オン時刻に至る都度実行し、前記切換えパターンの実行中に、前記計時部により計時される時刻が前記オン時刻に至った後第１の判断時間を経過するまでの間、前記検知部により前記使用状態が継続して検知されなかった場合、前記画像形成装置を前記第１の省電力モードよりも消費電力の少ない第２の省電力モードに切換える制御を行う制御部と、を備え、前記第１の判断時間は前記設定時間に等しいことを特徴とする。
【発明の効果】
【００１０】
したがって、本発明は、ＷＴ機能が設定された画像形成装置の電力消費を極力省くことができる。
【図面の簡単な説明】
【００１１】
【図１】本発明に係る画像形成装置のブロック図である。
【図２】図１の画像形成装置がスリープモードにある場合を模式的に示す図である。
【図３】図１の画像形成装置がＥＲＰ対応オフモードにある場合を模式的に示す図である。
【図４】ＷＴ機能実行中の画像形成装置の消費電力の時間推移を表す模式図であり、（ｉ）はオートシャットオフ機能が設定されていない場合、（ｉｉ）はオートシャットオフ機能が設定された場合、をそれぞれ示す。
【図５】ＷＴ機能実行中にＥＲＰ対応オフモードへの切換え処理を実行した場合の消費電力の時間推移を表す模式図である。
【図６】実施形態１に係る画像形成装置が実行する駆動モード切換え処理を説明するためのフローチャートである。
【図７】変形例１に係る画像形成装置について、ＷＴ機能実行中に別のＥＲＰ対応オフモードへの切換え処理を実行した場合の消費電力の時間推移を表す模式図である。
【図８】変形例１に係る画像形成装置が実行する別の駆動モード切換え処理を説明するためのフローチャートである。
【図９】変形例２に係る画像形成装置について、ＷＴ機能実行中に別のＥＲＰ対応オフモードへの切換え処理を実行した場合の消費電力の時間推移を表す模式図である。
【図１０】変形例２に係る画像形成装置が実行する別の駆動モード切換え処理を説明するためのフローチャートである。
【図１１】変形例３に係る画像形成装置について、ＷＴ機能実行中に別のＥＲＰ対応オフモードへの切換え処理を実行した場合の消費電力の時間推移を表す模式図である。
【図１２】変形例３に係る画像形成装置が実行する別の駆動モード切換え処理を説明するためのフローチャートである。
【図１３】変形例３に係る画像形成装置が実行する別の駆動モード切換え処理を説明するためのフローチャートである。
【図１４】変形例４に係る画像形成装置について、ＷＴ機能実行中に別のＥＲＰ対応オフモードへの切換え処理を実行した場合の消費電力の時間推移を表す模式図である。
【図１５】変形例４に係る画像形成装置が実行する別の駆動モード切換え処理を説明するためのフローチャートである。
【発明を実施するための形態】
【００１２】
「実施形態１」
以下、実施形態１に係る画像形成装置について、図１〜図６を参照して説明する。
【００１３】
本実施形態に係る画像形成装置１は、カラー複写機やプリンタ等として用いられる。画像形成装置１は、図１に示すように、メインスイッチ２と、サブスイッチ３と、電源ユニット１０と、システム制御部１００と、表示操作部２００と、画像形成部３００と、エンジン制御部４００と、スキャナ／ＡＤＦ部５００と、を含んで構成される。
【００１４】
メインスイッチ２は、商業用電源より取得した電力の電源ユニット１０への供給状態を切換える。また、メインスイッチ２は、後述するシステム制御部１００の指示の下、電源ユニット１０に備わる第１電源１１と第２電源１２について、電力の供給先を切換えることができる。
サブスイッチ３は、後述するＩ／Ｏ部１２０のインプットポートとアウトプットポートとを介して、ユーザがシステム制御部１００に対する電力の供給状態を切換えるシステム電源用のスイッチである。
【００１５】
電源ユニット１０は、商業用電源からの交流の電力を予め定めた電圧値からなる直流の電力に変換し、変換した電力を画像形成装置１に備わる各構成要素に供給する電源である。ここで、電源ユニット１０は、システム制御部１００の指示に従って、各構成要素それぞれに対する電力の供給状態を切換えることができる。当該電源ユニット１０は、第１電源１１と、第２電源１２と、を含んで構成される。ここで、第１電源１１は、常時通電用の電源であり、第２電源１２は、後述するスリープモードやＥＲＰ対応オフモードで電力の供給が停止する電源である。
【００１６】
システム制御部１００は、画像形成装置１全体を統括制御する。システム制御部１００は、ＣＰＵ（Ｃｅｎｔｒａｌ Ｐｒｏｃｅｓｓｉｎｇ Ｕｎｉｔ）１０１と、ＲＯＭ（Ｒｅａｄ  Ｏｎｌｙ  Ｍｅｍｏｒｙ）１０２と、ＤＲＡＭ（Ｄｙｎａｍｉｃ  Ｒａｎｄｏｍ Ａｃｃｅｓｓ Ｍｅｍｏｒｙ）１０３と、計時部１１０と、不揮発性ＲＡＭ１１１と、Ｉ／Ｏ部１２０と、ＬＣＤコントローラ１３０と、ＵＡＲＴ（Ｕｎｉｖｅｒｓａｌ Ａｓｙｎｃｈｒｏｎｏｕｓ  Ｒｅｃｅｉｖｅｒ Ｔｒａｎｓｍｉｔｔｅｒ）１４１，１４２と、ＮＩＣ（Ｎｅｔｗｏｒｋ Ｉｎｔｅｒｆａｃｅ Ｃａｒｄ）１５０と、Ｉ／Ｆ部１６０と、を含んで構成される。
【００１７】
ＣＰＵ１０１は、画像形成装置１の各構成要素から入力される入力信号に応じて、ＲＯＭ１０２に記憶された各種プログラム（プログラムコード）を実行する。そして、ＣＰＵ１０１は、当該実行にかかるプログラムに基づいて各構成要素に出力信号を出力することで、画像形成装置１の動作全般を統括制御する。
ＲＯＭ１０２は、ＣＰＵ１０１が実行可能なシステムプログラムや、当該システムプログラムで実行可能な各種処理プログラム、上記処理プログラムを実行する際に使用されるデータなどを記憶する。
ＤＲＡＭ１０３は、ＣＰＵ１０１が実行するプログラムなどを展開するためのプログラム格納領域や、プログラムが実行される際に生じる処理結果などを格納するためのデータ格納領域を備える。
【００１８】
計時部１１０は、例えば、現在時刻を計時し、計時した時刻をＣＰＵ１０１へ信号として出力するＲＴＣ（Ｒｅａｌ Ｔｉｍｅ Ｃｌｏｃｋ）回路である。
不揮発性ＲＡＭ１１１は、例えば、ＥＥＰＲＯＭ（Ｅｌｅｃｔｒｉｃａｌｌｙ Ｅｒａｓａｂｌｅ  ＰｒｏｇｒａｍｍａｂｌｅＲＯＭ）やＦｅＲＡＭ（Ｆｅｒｒｏｅｌｅｃｔｒｉｃ  ＲＡＭ）等のように、記憶の更新が可能であり且つ不揮発性のメモリである。
Ｉ／Ｏ部１２０は、インプットポートとアウトプットポートとからなるＩ／Ｏポートである。
【００１９】
ＬＣＤコントローラ１３０は、後述の表示操作部２００に備わるＬＣＤ２１２を駆動制御して、ＬＣＤ２１２の表示画面上に画像を表示させる。
ＵＡＲＴ１４１，１４２は、シリアル回線を介してシリアル通信を行うための通信インターフェースである。そして、ＵＡＲＴ１４１は、システム制御部１００と操作部２００とを通信可能にし、ＵＡＲＴ１４２は、システム制御部１００とエンジン制御部４００とを通信可能にする。
ＮＩＣ１５０は、画像形成装置１がＬＡＮ（Ｌｏｃａｌ  Ａｒｅａ  Ｎｅｔｗｏｒｋ）等のネットワークを介して、ホストマシン等と通信を行うためのインターフェースである。
Ｉ／Ｆ部１６０は、ＵＳＢインターフェース等で構成されており、当該ＵＳＢインターフェースを備えた各種機器を接続可能にする。
【００２０】
表示操作部２００は、表示画面上に画像を表示するとともに、ユーザの入力操作を受付ける。当該表示操作部２００は、タッチパネル部２１０と、固定キー部２２０と、ＣＰＵ２３０と、を含んで構成される。
【００２１】
タッチパネル部２１０は、タッチパネル２１１と、ＬＣＤ（Ｌｉｑｕｉｄ  Ｃｒｙｓｔａｌ  Ｄｉｓｐｌａｙ）２１２と、を含んで構成される。
タッチパネル２１１は、ＬＣＤ２１２の表示画面上に透明電極を格子状に配置して構成された感圧式（抵抗膜圧式）のパネルである。タッチパネル２１１は、ユーザに押下操作された座標位置の信号をＣＰＵ２３０へ出力する。ＬＣＤ２１２は、ＬＣＤコントローラ１３０の指示にしたがって表示画面上に画像を表示させる液晶ディスプレイである。
【００２２】
固定キー部２２０は、数字テンキー，スタートキー，機能切換えキー等の複数の固定キーから構成される。固定キー部２２０は、ユーザによって押下操作された際に、操作されたキーに応じた押下信号をＣＰＵ２３０へ出力する。
【００２３】
ＣＰＵ２３０は、ＣＰＵ１０１に比べて小規模な電子回路からなる。ＣＰＵ２３０は、タッチパネル２１１から出力される座標位置の信号や固定キー部２２０から出力される押下信号に応じて、タッチパネル２１１の操作位置や固定キー部２２０に備わる固定キーの種別を特定する。そして、ＣＰＵ２３０は、特定した操作位置や種別に基づく操作信号をＣＰＵ１０１へ出力する。
【００２４】
画像形成部３００は、用紙上に原稿の画像を形成する画像形成処理を行う。当該画像形成部３００は、画像処理部３１０と、画像メモリ制御部３２０と、画像メモリ３３０と、圧縮／伸張部３４０と、プリンタ部３５０と、を含んで構成される。
画像処理部３１０は、スキャナ／ＡＤＦ部５００にて読み取られる画像に係る画像データについて、シェーディング補正や、Ｒ、Ｇ、Ｂ形式からＣ、Ｍ、Ｙ、Ｋ形式に変換する色変換処理、等の画像処理を施す。
画像メモリ制御部３２０は、画像処理部３１０にて画像処理の施された画像データを画像メモリ３３０に格納する。また、画像メモリ制御部３２０は、ＣＰＵ１０１からの指示に応じて、画像メモリ３３０に格納した画像データを読み出して、圧縮／伸張部３４０やプリンタ部３５０へ出力する。
画像メモリ３３０は、ＤＲＡＭ等で構成される。そして、画像メモリ３３０は、画像処理部３１０にて取得された画像データやＮＩＣ１５０等を介して取得した印刷ジョブを記憶する。
圧縮／伸張部３４０は、画像データに対する圧縮処理や伸張処理を施す。
プリンタ部３５０は、画像メモリ３３０に格納された画像データや印刷ジョブに基づいて、電子写真方式等により用紙上に画像を形成して出力する。
【００２５】
エンジン制御部４００は、ＣＰＵ１０１の指示にしたがって、画像形成部３００の動作を統括的に制御する。当該エンジン制御部４００は、ＣＰＵ４１０と、ドライバ４２０と、モータ部４３０と、Ｉ／Ｏ部４４０と、トレイ開閉検知センサ部４５０（検知部）と、前扉開閉検知センサ部４６０（検知部）と、ＡＤＦ開閉検知センサ部４７０（検知部）と、ＵＡＲＴ４８０と、を含んで構成される。
【００２６】
ＣＰＵ４１０は、ＣＰＵ１０１からの指示にしたがって、エンジン制御部４００の動作全般を統括制御する。
ドライバ４２０は、モータ部４３０に備わる各種モータを駆動させる駆動ドライバである。モータ部４３０は、例えば、感光体ドラムや加熱ローラを駆動させるモータ等、各種モータを含んで構成される。Ｉ／Ｏ部４４０は、インプットポートとアウトプットポートとからなるＩ／Ｏポートである。
トレイ開閉検知センサ部４５０は、画像形成装置１に備わる１又は複数の給紙トレイそれぞれに配設されたセンサである。そして、トレイ開閉検知センサ部４５０は、ユーザによって給紙トレイそれぞれが開閉されたか否かを検知し、検知信号を出力する。前扉開閉検知センサ部４６０は、ユーザによって画像形成装置１に設けられる前扉が開閉されたか否かを検知し、検知信号を出力する。ＡＤＦ開閉検知センサ部４７０は、スキャナ／ＡＤＦ部５００に設けられるＡＤＦ（Ａｕｔｏ Ｄｏｃｕｍｅｎｔ Ｆｅｅｄｅｒ）がユーザによって開閉されたか否かを検知し、検知信号を出力する。トレイ開閉検知センサ部４５０〜ＡＤＦ開閉検知センサ部４７０がそれぞれ出力する検知信号は、Ｉ／Ｏ部４４０等を介してＣＰＵ１０１へ送信される。
ＵＡＲＴ４８０は、シリアル回線を介してシリアル通信を行うための通信インターフェースである。ＵＡＲＴ４８０は、エンジン制御部４００とスキャナ／ＡＤＦ部５００とを通信可能にする。
【００２７】
スキャナ／ＡＤＦ部５００は、ＡＤＦやＣＣＤ（Ｃｈａｒｇｅ Ｃｏｕｐｌｅｄ Ｄｅｖｉｃｅ）を用いて原稿を読み取り、当該原稿に基づく画像データを取得する。そして、スキャナ／ＡＤＦ部５００は、ＣＰＵ５１０と、ドライバ５２０と、モータ部５３０と、Ｉ／Ｏ部５４０と、原稿セット検知センサ部５５０と、を含んで構成される。
ＣＰＵ５１０は、ＣＰＵ１０１からの指示にしたがって、スキャナ／ＡＤＦ部５００の動作全般を統括制御する。ドライバ５２０は、モータ部５３０に備わる各種モータを駆動させる駆動ドライバである。モータ部５３０は、スキャナ／ＡＤＦ部５００を駆動させるための各種モータを含んで構成される。Ｉ／Ｏ部５４０は、インプットポートとアウトプットポートとからなるＩ／Ｏポートである。
原稿セット検知センサ部５５０は、スキャナ／ＡＤＦ部５００の読み取る原稿が、ユーザによって当該スキャナ／ＡＤＦ部５００にセットされたか否かを検知し、検知信号を出力する。原稿セット検知センサ部５５０が出力する検知信号は、Ｉ／Ｏ部５４０等を介してＣＰＵ１０１へ送信される。
【００２８】
（画像形成装置１の駆動モードについて）
次に、画像形成装置１の駆動モードについて説明する。
【００２９】
画像形成装置１の駆動モードには、通常モードとオフモードがある。
まず、通常モードとは、画像形成装置１に備わる各構成要素が電源ユニット１０により電力を供給されて駆動可能な状態である。つまり、通常モードは、画像形成装置１が印刷ジョブを取得した場合や原稿を読み取った場合に、即座に画像形成処理を実行できる状態（待機状態）である。
一方で、オフモードとは、ＣＰＵ１０１の電源ユニット１０に対する制御の下、画像形成装置１の一部の構成のみに電力が供給される状態である。つまり、オフモードは、ＣＰＵ１０１が、通常モードで動作可能な画像形成装置１の構成のうち所定の構成について、電力の供給を停止させることで、画像形成装置１を省電力化させた状態である。当該オフモードには、スリープモード（第１の省電力モード）とＥＲＰ対応オフモード（第２の省電力モード）がある。
【００３０】
スリープモードとは、ＣＰＵ１０１が、図２の破線で示すように、画像形成部３００、表示操作部２００のＬＣＤ２１２、エンジン制御部４００のドライバ４２０とモータ部４３０、スキャナ／ＡＤＦ部５００のドライバ５２０とモータ部５３０、について電力の供給を停止させた状態である。
ＥＲＰ対応オフモードとは、製品に対する環境配慮設計を義務付けたＥＲＰ（Ｅｎｅｒｇｙ―Ｒｅｌａｔｅｄ  Ｐｒｏｄｕｃｔｓ）指令に準拠するように、オフモードにある画像形成装置１をスリープモードよりも一層省電力化させた状態である。具体的には、ＣＰＵ１０１は、画像形成装置１を通常モード又はスリープモードから当該ＥＲＰ対応オフモードに切換える場合、図３の破線で示すように、メインスイッチ２以外の画像形成装置１の各構成要素について電力の供給を停止させる。つまり、ＣＰＵ１０１は、画像形成装置１の略全構成に電力が供給されないように制御することで、スリープモードよりも一層画像形成装置１の消費電力を少なくすることが出来る。
ここで、ＣＰＵ１０１は、画像形成装置１がスリープモードにある場合に、トレイ開閉検知センサ部４５０、前扉開閉検知センサ部４６０、ＡＤＦ開閉検知センサ部４７０、原稿セット検知センサ部５５０の何れかより検知信号を取得すると（当該スリープモードからの復帰要求を取得すると）、ユーザによって画像形成装置１が使用されたものとして（使用状態が検知されたものとして）、画像形成装置１を通常モードに切換える。一方で、画像形成装置１がＥＲＰ対応オフモードにある場合、システム制御部１００にも電力が供給されないので、ＣＰＵ１０１が画像形成装置１を通常モードやスリープモードに切換えることはない。
【００３１】
（ウィークリータイマ機能について）
次に、ＣＰＵ１０１が画像形成装置１に設定するウィークリータイマ（ＷＴ）機能について、図４を用いて説明する。
【００３２】
ＷＴ機能とは、計時部１１０により計時される時刻が曜日毎や日付毎に予め設定された時刻に至ると、ＣＰＵ１０１が通常モードとスリープモードとを逐次切換える機能である。具体的には、ＣＰＵ１０１は、図４（ｉ）に示すように、画像形成装置１がスリープモードにある状態で、計時される時刻が予め設定されたＷＴオン時刻（オン時刻）に至ると、画像形成装置１を通常モードに切換える。さらに、ＣＰＵ１０１は、図４（ｉ）に示すように、画像形成装置１を通常モードに切換えた後、計時される時刻が予め設定された設定時間を経過してＷＴオフ時刻に至ると、画像形成装置１をスリープモードに切換える。そして、ＣＰＵ１０１は、上記切換え処理のパターン（切換えパターン）をＷＴオン時刻に至る都度実行することで、ＷＴ機能を実現する。なお、ＷＴオン時刻／ＷＴオフ時刻は、表示操作部２００を介してユーザに適宜設定される。当該設定されたＷＴオン時刻／ＷＴオフ時刻は、例えば、曜日や日付ごとに不揮発性ＲＡＭ１１１に記憶される。
【００３３】
ところで、ＣＰＵ１０１が通常モードにある画像形成装置１をスリープモードに切換えるケースは、切換えパターンを実行するケースだけではない。つまり、ＣＰＵ１０１がオートシャットオフ機能によって、画像形成装置１をスリープモードに切換えるケースも存在する。オートシャットオフ機能とは、ＣＰＵ１０１が、予め定めた一定期間中、トレイ開閉検知センサ部４５０、前扉開閉検知センサ部４６０、ＡＤＦ開閉検知センサ部４７０、原稿セット検知センサ部５５０の何れからも検知信号を取得しなかった場合、ユーザによる画像形成装置１の使用状態が継続して検知されなかったものとして、画像形成装置１をスリープモードに切換える機能である。具体的には、ＣＰＵ１０１は、図４（ｉｉ）に示すように、ＷＴ機能によって画像形成装置１が通常モードに至った時刻よりＡＳ時刻に至るまでの期間、画像形成装置１の使用状態が継続して検知されないと判断した場合、当該ＡＳ時刻で画像形成装置１をスリープモードに切換える。なお、図４（ｉｉ）において、ＷＴオフ時刻近傍で、スリープモードにある画像形成装置１の消費電力が一時的に通常モードと同水準まで上昇するのは、ＣＰＵ１０１がＷＴ機能によるスリープモードへの切換え処理を実行するためである。
【００３４】
（ＥＲＰ対応オフモードへの切換え処理について）
次に、ＷＴ機能実行中に、ＣＰＵ１０１が行うＥＲＰ対応オフモードへの切換え処理について説明する。
【００３５】
ＣＰＵ１０１がＷＴ機能を実行する際、例えば、画像形成装置１の利用頻度が低いと予測される時間帯に至った場合に、当該ＷＴ機能によって画像形成装置１がスリープモードに切換わるようにＷＴオン時刻／ＷＴオフ時刻を設定しておくことで、画像形成装置１は省電力化する。ところが、例えば、ユーザが長期に亘って画像形成装置１を一切使用しないような状況で、当該画像形成装置１に誤ってＷＴ機能を設定した場合、画像形成装置１は不要に通常モードへ切換わるため電力が浪費される。また、当該状況で、画像形成装置１がスリープモードにある場合でも、図２に示す通り電力が供給されない構成は一部に過ぎないため、図２に示した通りある程度の消費電力が生じる。そこで、ＣＰＵ１０１は、ＷＴ機能実行中における画像形成装置１の使用状態に応じて、画像形成装置１をＥＲＰ対応オフモードに切換えることで、画像形成装置１の省電力化を図る。
【００３６】
具体的には、ＣＰＵ１０１は、図５に示すように、計時部１１０により計時される時刻がＷＴオン時刻に至った後、ＣＰＵ１０１の設定する第１の判断時間Ｔ１を経過するまでの間、トレイ開閉検知センサ部４５０、前扉開閉検知センサ部４６０、ＡＤＦ開閉検知センサ部４７０、原稿セット検知センサ部５５０から検知信号を取得したか否かを判断する。ここで、ＣＰＵ１０１の設定する第１の判断時間Ｔ１は、任意の時間であってよいが、図５に示すように、ここではＷＴオン時刻からＷＴオフ時刻よりも短い時間とする。
そして、ＣＰＵ１０１は、第１の判断時間Ｔ１を経過するまでの間、検知信号を取得していないと判断する場合、画像形成装置１の使用状態が継続して検知されなかったものとして、通常モードにある画像形成装置１をＥＲＰ対応オフモードに切換える。ここで、画像形成装置１が当該ＥＲＰ対応オフモードに切換わった場合、システム制御部１００に電力が供給されないので、ＣＰＵ１０１も駆動しない。そのため、計時される時刻が次のＷＴオン時刻に至った場合でも、ＣＰＵ１０１がＷＴ機能によって画像形成装置１を通常モードに切換えることがないので、画像形成装置１はＥＲＰ対応オフモードによる省電力化した状態を維持することができる。
【００３７】
（駆動モード切換え処理）
次に、本実施形態に係る画像形成装置１が実行する駆動モード切換え処理について、図のフローチャートを用いて説明する。なお、図６のフローチャートに示す駆動モード切換え処理は図５の時系列に準拠するものとする。
【００３８】
まず、画像形成装置１は通常モードにあるとする（ステップＳ１）。そして、ＣＰＵ１０１は、当該画像形成装置１についてＷＴ機能を実行する（ステップＳ２）。
次いで、ＣＰＵ１０１は、計時部１１０により時刻を計時し、当該時刻がＷＴオフ時刻に至ったか否かを判断する（ステップＳ３）。そして、ＣＰＵ１０１は、ステップＳ３にてＷＴオフ時刻に至っていないと判断する場合（ステップＳ３；Ｎｏ）、ＷＴオフ時刻に至るまで待機する。
一方で、ＣＰＵ１０１は、ステップＳ３にてＷＴオフ時刻に至ったと判断する場合（ステップＳ３；Ｙｅｓ）、画像形成装置１をスリープモードに切換える（ステップＳ４）。
次いで、ＣＰＵ１０１は、計時部１１０により時刻を計時し、当該時刻がＷＴオン時刻に至ったか否かを判断する（ステップＳ５）。そして、ＣＰＵ１０１は、ステップＳ５にてＷＴオン時刻に至っていないと判断する場合（ステップＳ５；Ｎｏ）、ＷＴオン時刻に至るまで待機する。
一方で、ＣＰＵ１０１は、ステップＳ５にてＷＴオン時刻に至ったと判断する場合（ステップＳ５；Ｙｅｓ）、画像形成装置１を通常モードに切換える（ステップＳ６）。
【００３９】
次いで、ＣＰＵ１０１は、画像形成装置１をＥＲＰ対応オフモードに切換えるための第１の判断時間Ｔ１を設定する（ステップＳ７）。この際、ＣＰＵ１０１は、計時部１１０により時刻を計時し、ＷＴオン時刻に至った時点からの経過時間をカウントする。
次いで、ＣＰＵ１０１は、トレイ開閉検知センサ部４５０、前扉開閉検知センサ部４６０、ＡＤＦ開閉検知センサ部４７０、原稿セット検知センサ部５５０から検知信号を取得したか否かにより、画像形成装置１の使用状態が検知されたか否かを判断する（ステップＳ８）。
次いで、ＣＰＵ１０１は、ステップＳ８にて検知されていないと判断する場合（ステップＳ８；Ｎｏ）、計時部１１０により計時される時刻がＷＴオン時刻に至った後第１の判断時間Ｔ１を経過したか否かを判断する（ステップＳ９）。そして、ＣＰＵ１０１は、ステップＳ９にて第１の判断時間Ｔ１を経過していないと判断する場合（ステップＳ９；Ｎｏ）、ステップＳ８以降の処理を繰り返す。
【００４０】
そして、ＣＰＵ１０１は、ステップＳ９にて第１の判断時間Ｔ１を経過したと判断する場合（ステップＳ９；Ｙｅｓ）、画像形成装置１をＥＲＰ対応オフモードに切換える（ステップＳ１０）。
【００４１】
一方で、ＣＰＵ１０１は、ステップＳ８にて検知されたと判断する場合（ステップＳ８；Ｙｅｓ）、画像形成装置１がＥＲＰ対応オフモードに切換わらないように、ステップＳ７で設定した第１の判断時間Ｔ１の設定解除を行う（ステップＳ１１）。つまり、ＣＰＵ１０１は、画像形成装置１を、ＷＴ機能が実行された状態の通常モードに移行させる。
【００４２】
以上、本実施形態に係る画像形成装置１によると、ＣＰＵ１０１は、画像形成装置１にＷＴ機能を設定した状態で、第１の判断時間Ｔ１を経過するまでの間、画像形成装置１の使用状態が継続して検知されなかった場合、通常モードにある画像形成装置１をスリープモードよりも消費電力の少ないＥＲＰ対応オフモードに切換える。
したがって、画像形成装置１は、ウィークリータイマ機能が設定された状態で、不要な電力消費を極力省くことができるといえる。
【００４３】
「変形例１」
次に、実施形態１に係る画像形成装置１の変形例１について、図７及び図８を用いて説明する。実施形態１において、第１の判断時間Ｔ１は、特定の時間としていなかったが、ＣＰＵ１０１が事前に設定されたＷＴオン時刻／ＷＴオフ時刻に応じて決定するようにしてもよい。
【００４４】
具体的には、ＣＰＵ１０１は、ＷＴオン時刻／ＷＴオフ時刻を不揮発性ＲＡＭ１１１より取得し、第１の判断時間Ｔ１を当該取得したＷＴオン時刻からＷＴオフ時刻までの時間に設定する。そして、ＣＰＵ１０１は、図７に示すように、計時部１１０により計時される時刻がＷＴオン時刻に至った後第１の判断時間Ｔ１を経過するまでの間、検知信号を取得できたか否かに基づいて画像形成装置１の使用状態を検知する。その結果、ＣＰＵ１０１は、第１の判断時間Ｔ１を経過するまでの間、画像形成装置１の使用状態が継続して検知されなかった場合、通常モードにある画像形成装置１をＥＲＰ対応オフモードに切換える。なお、図７に示すように、ＣＰＵ１０１は、第１の判断時間Ｔ１を経過するまでの間にＡＳオフ時刻に至った場合でも、画像形成装置１をスリープモードに切換える処理は行わない。
【００４５】
（駆動モード切換え処理）
次に、本変形例に係る画像形成装置１が実行する駆動モード切換え処理について、図８のフローチャートを用いて説明する。なお、図８のフローチャートに示す駆動モード切換え処理は図７の時系列に準拠するものとする。また、駆動モード切換え処理の説明において、実施形態１に係る駆動モード切換え処理と同様の箇所については同じ符号を付し、説明を省略する。
【００４６】
ＣＰＵ１０１は、ステップＳ６にて画像形成装置１を通常モードに切換えた際、第１の判断時間Ｔ１をＷＴオン時刻からＷＴオフ時刻までの時間に設定する（ステップＳ７ａ）。この際、ＣＰＵ１０１は、計時部１１０により時刻を計時し、ＷＴオン時刻に至った時点からの経過時間をカウントする。
次いで、ＣＰＵ１０１は、計時部１１０により計時される時刻がＷＴオン時刻に至った後第１の判断時間Ｔ１を経過したか否かを判断する（ステップＳ８ａ）。そして、ステップＳ８ａにて第１の判断時間Ｔ１を経過していないと判断する場合（ステップＳ８ａ；Ｎｏ）、第１の判断時間Ｔ１が経過するまで待機する。
一方で、ＣＰＵ１０１は、ステップＳ８ａにて第１の判断時間Ｔ１を経過したと判断する場合（ステップＳ８ａ；Ｙｅｓ）、第１の判断時間Ｔ１を経過するまでの間に検知信号を取得したか否かにより、画像形成装置１の使用状態が検知されたか否かを判断する（ステップＳ９ａ）。
そして、ＣＰＵ１０１は、ステップＳ９ａにて検知されたと判断する場合（ステップＳ９ａ；Ｙｅｓ）、画像形成装置１をスリープモードに切換える処理を行う（ステップＳ１１ａ）。つまり、ＣＰＵ１０１は、ステップＳ８ａ；ＹｅｓにてＷＴオフ時刻に至った（第１の判断時間Ｔ１を経過した）と判断しているため、ＷＴ機能の下でスリープモードに切換える。なお、この際、ＣＰＵ１０１は、次のＷＴオン時刻からＷＴオフ時刻までの時間を新たな第１の判断時間Ｔ１として設定しておく。
【００４７】
以上、本変形例１によると、ＣＰＵ１０１はＷＴオフ時刻に至った時点で、画像形成装置１の使用状態が継続して検知されなかった場合、画像形成装置１をＥＲＰ対応オフモードに切換える。つまり、本変形例１によると、実施形態１と同様の効果が得られるのは勿論のこと、事前設定された画像形成装置１の利用頻度が低いと予測されるＷＴオフ時刻に、画像形成装置１をＥＲＰ対応オフモードへ切換えられるので、ユーザによる画像形成装置１の利用状況に適したタイミングで画像形成装置１を省電力化できる。
【００４８】
「変形例２」
次に、実施形態１に係る画像形成装置１の変形例２について、図９及び図１０を用いて説明する。実施形態１において、ＣＰＵ１０１は、画像形成装置１の使用状態が継続して検知されなかった場合、通常モードにある画像形成装置１を直接ＥＲＰ対応オフモードに切換えたが、一旦スリープモードに切換えた後ＥＲＰ対応オフモードに切換えてもよい。
【００４９】
具体的には、ＣＰＵ１０１は、図９に示すように、計時部１１０により計時される時刻がＷＴオン時刻に至った後第２の判断時間Ｔ２を経過するまでの間、検知信号を取得できたか否かに基づいて画像形成装置１の使用状態を検知する。ここで、第２の判断時間Ｔ２は、ＷＴオン時刻からＡＳ時刻までの時間である。そして、ＣＰＵ１０１は、第２の判断時間Ｔ２を経過するまでの間、画像形成装置１の使用状態が継続して検知されなかった場合、通常モードにある画像形成装置１をスリープモードに切換える。さらに、ＣＰＵ１０１は、第２の判断時間Ｔ２を経過した後第１の判断時間Ｔ１を経過するまでの時間Ｔ３の間、検知信号を取得できたか否かに基づいて画像形成装置１の使用状態を検知する。そして、ＣＰＵ１０１は、時間Ｔ３の間、画像形成装置１の使用状態が継続して検知されなかった場合、スリープモードにある画像形成装置１をＥＲＰ対応オフモードに切換える。ここで、図９に示すように、ＣＰＵ１０１の設定する第１の判断時間Ｔ１は、任意の時間であってよいが、ここではＷＴオン時刻からＷＴオフ時刻よりも短い時間とする。
【００５０】
（駆動モード切換え処理）
次に、本変形例に係る画像形成装置１が実行する駆動モード切換え処理について、図１０のフローチャートを用いて説明する。なお、図１０のフローチャートに示す駆動モード切換え処理は図９の時系列に準拠するものとする。また、駆動モード切換え処理の説明において、実施形態１に係る駆動モード切換え処理と同様の箇所については同じ符号を付し、説明を省略する。
【００５１】
ＣＰＵ１０１は、ステップＳ６にて画像形成装置１を通常モードに切換えた際、第１の判断時間Ｔ１及び第２の判断時間Ｔ２を設定する（ステップＳ７ｂ）。この際、ＣＰＵ１０１は、計時部１１０により時刻を計時し、ＷＴオン時刻に至った時点からの経過時間をカウントする。
次いで、ＣＰＵ１０１は、トレイ開閉検知センサ部４５０、前扉開閉検知センサ部４６０、ＡＤＦ開閉検知センサ部４７０、原稿セット検知センサ部５５０から検知信号を取得したか否かにより、画像形成装置１の使用状態が検知されたか否かを判断する（ステップＳ８ｂ）。そして、ＣＰＵ１０１は、ステップＳ８ｂにて検知されたと判断する場合（ステップＳ８ｂ；Ｙｅｓ）、ステップＳ１５ｂの処理へ移行する。
【００５２】
一方、ＣＰＵ１０１は、ステップＳ８ｂにて検知されていないと判断する場合（ステップＳ８ｂ；Ｎｏ）、計時部１１０により計時される時刻がＷＴオン時刻に至った後第２の判断時間Ｔ２を経過したか否かを判断する（ステップＳ９ｂ）。そして、ＣＰＵ１０１は、ステップＳ９ｂにて第２の判断時間Ｔ２を経過していないと判断する場合（ステップＳ９ｂ；Ｎｏ）、ステップＳ８ｂ以降の処理を繰り返す。
【００５３】
一方で、ＣＰＵ１０１は、ステップＳ９ｂにて第２の判断時間Ｔ２を経過したと判断する場合（ステップＳ９ｂ；Ｙｅｓ）、画像形成装置１をスリープモードに切換える（ステップＳ１０ｂ）。
次いで、ＣＰＵ１０１は、画像形成装置１の使用状態が検知されたか否かを判断する（ステップＳ１１ｂ）。
そして、ＣＰＵ１０１は、ステップＳ１１ｂにて検知されていないと判断する場合（ステップＳ１１ｂ；Ｎｏ）、計時部１１０により計時される時刻がＷＴオン時刻に至った後第１の判断時間Ｔ１を経過したか否かを判断する（ステップＳ１２ｂ）。そして、ＣＰＵ１０１は、ステップＳ１２ｂにて第１の判断時間Ｔ１を経過していないと判断する場合（ステップＳ１２ｂ；Ｎｏ）、ステップＳ１１ｂ以降の処理を繰り返す。
【００５４】
そして、ＣＰＵ１０１は、ステップＳ１２ｂにて第１の判断時間Ｔ１を経過したと判断する場合（ステップＳ１２ｂ；Ｙｅｓ）、画像形成装置１をＥＲＰ対応オフモードに切換える（ステップＳ１３ｂ）。
【００５５】
また、ＣＰＵ１０１は、ステップＳ１１ｂにて検知されたと判断する場合（ステップＳ１１ｂ；Ｙｅｓ）、画像形成装置１を通常モードに切換える（ステップＳ１４ｂ）。そして、ＣＰＵ１０１は、画像形成装置１がＥＲＰ対応オフモードに切換わらないように、ステップＳ７ｂで設定した第１の判断時間Ｔ１の設定解除を行う（ステップＳ１５ｂ）。つまり、ＣＰＵ１０１は、画像形成装置１を、ＷＴ機能が実行された状態の通常モードに移行させる。
【００５６】
以上、本変形例２によると、ＷＴオン時刻が経過した後第１の判断時間Ｔ１が経過するまでの間、画像形成装置１の使用状態が継続して検知されなかった場合、ＣＰＵ１０１は、画像形成装置１を一旦スリープモードに切換えた後にＥＲＰ対応オフモードに切換える。つまり、本変形例２によると、実施形態１と同様の効果が得られるのは勿論のこと、ＣＰＵ１０１は、オートシャットオフ機能と併用してＥＲＰ対応オフモードへの切換え処理を実行することが出来る。
【００５７】
「変形例３」
次に、実施形態１に係る画像形成装置１の変形例３について、図１１〜図１３を用いて説明する。変形例２において、第１の判断時間Ｔ１は、特定の時間としていなかったが、ＣＰＵ１０１が事前に設定されたＷＴオン時刻／ＷＴオフ時刻に応じて決定するようにしてもよい。
【００５８】
具体的には、ＣＰＵ１０１は、ＷＴオン時刻／ＷＴオフ時刻を不揮発性ＲＡＭ１１１より取得し、第１の判断時間Ｔ１を当該取得したＷＴオン時刻からＷＴオフ時刻までの時間に設定する。そして、ＣＰＵ１０１は、図１１に示すように、計時部１１０により計時される時刻がＷＴオン時刻に至った後第２の判断時間Ｔ２を経過するまでの間、検知信号を取得できたか否かに基づいて画像形成装置１の使用状態を検知する。その結果、ＣＰＵ１０１は、第２の判断時間Ｔ２を経過するまでの間、画像形成装置１の使用状態が継続して検知されなかった場合、通常モードにある画像形成装置１をスリープモードに切換える。さらに、ＣＰＵ１０１は、第２の判断時間Ｔ２を経過した後第１の判断時間Ｔ１を経過するまでの時間Ｔ３の間、検知信号を取得できたか否かに基づいて画像形成装置１の使用状態を検知する。そして、ＣＰＵ１０１は、時間Ｔ３の間、画像形成装置１の使用状態が継続して検知されなかった場合、スリープモードにある画像形成装置１をＥＲＰ対応オフモードに切換える。
【００５９】
（駆動モード切換え処理）
次に、本変形例に係る画像形成装置１が実行する駆動モード切換え処理について、図１２及び図１３のフローチャートを用いて説明する。なお、図１２及び図１３のフローチャートに示す駆動モード切換え処理は図１１の時系列に準拠するものとする。また、駆動モード切換え処理の説明において、実施形態１に係る駆動モード切換え処理と同様の箇所については同じ符号を付し、説明を省略する。
【００６０】
ＣＰＵ１０１は、ステップＳ６にて画像形成装置１を通常モードに切換えた際、第１の判断時間Ｔ１及び第２の判断時間Ｔ２を設定する（ステップＳ７ｃ）。ここで、第１の判断時間Ｔ１はＷＴオン時刻からＷＴオフ時刻までの時間である。この際、ＣＰＵ１０１は、計時部１１０により時刻を計時し、ＷＴオン時刻に至った時点からの経過時間をカウントする。
次いで、ＣＰＵ１０１は、トレイ開閉検知センサ部４５０、前扉開閉検知センサ部４６０、ＡＤＦ開閉検知センサ部４７０、原稿セット検知センサ部５５０から検知信号を取得したか否かにより、画像形成装置１の使用状態が検知されたか否かを判断する（ステップＳ８ｃ）。そして、ＣＰＵ１０１は、ステップＳ８ｃにて検知されたと判断する場合（ステップＳ８ｃ；Ｙｅｓ）、ステップＳ１５ｃの処理へ移行する。
【００６１】
一方、ＣＰＵ１０１は、ステップＳ８ｃにて検知されていないと判断する場合（ステップＳ８ｃ；Ｎｏ）、計時部１１０により計時される時刻がＷＴオン時刻に至った後第２の判断時間Ｔ２を経過したか否かを判断する（ステップＳ９ｃ）。そして、ＣＰＵ１０１は、ステップＳ９ｃにて第２の判断時間Ｔ２を経過していないと判断する場合（ステップＳ９ｃ；Ｎｏ）、ステップＳ８ｃ以降の処理を繰り返す。
【００６２】
一方で、ＣＰＵ１０１は、ステップＳ９ｃにて第２の判断時間Ｔ２を経過したと判断する場合（ステップＳ９ｃ；Ｙｅｓ）、画像形成装置１をスリープモードに切換える（ステップＳ１０ｃ）。
次いで、ＣＰＵ１０１は、画像形成装置１の使用状態が検知されたか否かを判断する（ステップＳ１１ｃ）。
そして、ＣＰＵ１０１は、ステップＳ１１ｃにて検知されていないと判断する場合（ステップＳ１１ｃ；Ｎｏ）、計時部１１０により計時される時刻がＷＴオン時刻に至った後第１の判断時間Ｔ１を経過したか否かを判断する（ステップＳ１２ｃ）。そして、ＣＰＵ１０１は、ステップＳ１２ｃにて第１の判断時間Ｔ１を経過していないと判断する場合（ステップＳ１２ｃ；Ｎｏ）、ステップＳ１１ｃ以降の処理を繰り返す。
【００６３】
そして、ＣＰＵ１０１は、ステップＳ１２ｃにて第１の判断時間Ｔ１を経過したと判断する場合（ステップＳ１２ｃ；Ｙｅｓ）、画像形成装置１をＥＲＰ対応オフモードに切換える（ステップＳ１３ｃ）。
【００６４】
また、ＣＰＵ１０１は、ステップＳ１１ｃにて検知されたと判断する場合（ステップＳ１１ｃ；Ｙｅｓ）、画像形成装置１を通常モードに切換える（ステップＳ１４ｃ）。
次いで、ＣＰＵ１０１は、計時部１１０により計時される時刻がＷＴオフ時刻に至ったか否かを判断する（ステップＳ１５ｃ）。そして、ＣＰＵ１０１は、ステップＳ１５ｃにてＷＴオフ時刻に至っていないと判断する場合（ステップＳ１５ｃ；Ｎｏ）、ＷＴオフ時刻に至るまで待機する。
一方で、ＣＰＵ１０１は、ステップＳ１５ｃにてＷＴオフ時刻に至ったと判断する場合（ステップＳ１５ｃ；Ｙｅｓ）、画像形成装置１をスリープモードに移行させる。この際、ＣＰＵ１０１は、新たな第１の判断時間Ｔ１を次のＷＴオン時刻からＷＴオフ時刻までの時間に設定する。
【００６５】
以上、本変形例３によると、ＷＴオン時刻が経過した後ＷＴオフ時刻に至るまでの間、画像形成装置１の使用状態が継続して検知されなかった場合、ＣＰＵ１０１は、画像形成装置１を一旦スリープモードに切換えた後にＥＲＰ対応オフモードに切換える。つまり、本変形例３によると、変形例２と同様の効果が得られるのは勿論のこと、事前に設定された画像形成装置１の利用頻度が低いと予測されるＷＴオフ時刻に、画像形成装置１をＥＲＰ対応オフモードへ切換えられるので、ユーザによる画像形成装置１の利用状況に適したタイミングで画像形成装置１を省電力化できる。
【００６６】
「変形例４」
次に、実施形態１に係る画像形成装置１の変形例４について、図１４及び図１５を用いて説明する。実施形態１において、ＣＰＵ１０１は、一度の切換えパターンの実行が完了するまでの間に、画像形成装置１の使用状態が継続して検知されなかった場合、画像形成装置１をＥＲＰ対応オフモードに切換えた。しかし、例えば、ＣＰＵ１０１が、複数回に亘る切換えパターンの実行が完了するまでの間に、画像形成装置１の使用状態が継続して検知されなかった場合に、画像形成装置１をＥＲＰ対応オフモードに切換えるように構成してもよい。
【００６７】
具体的には、ＣＰＵ１０１は、図１４に示すように、計時部１１０により計時される時刻があるＷＴオン時刻に至った時間を基準として、切換えパターンを繰り返し実行する。
ここで、ＣＰＵ１０１は、各切換えパターンを実行する際、各切換えパターンのＷＴオン時刻からＷＴオフ時刻に至るまでの間、検知信号を取得できたか否かに基づいて画像形成装置１の使用状態を検知する。その結果、ＣＰＵ１０１は、上記ＷＴオン時刻からＷＴオフ時刻に至るまでの間、画像形成装置１の使用状態が継続して検知されなかった場合に、所定のカウンタ値Ｃを１増加させる。一方で、ＣＰＵ１０１は、上記ＷＴオン時刻からＷＴオフ時刻に至るまでの間に画像形成装置１の使用状態が検知された場合、カウンタ値Ｃをクリア（０に）する。
そして、ＣＰＵ１０１は、カウンタ値Ｃが予め定めた設定値Ｎに到達した場合に、通常モードにある画像形成装置１をＥＲＰ対応オフモードに切換える。なお、この場合の第１の判断時間Ｔ１は、図１４に示すように、ＣＰＵ１０１が設定値Ｎ回分の切換えパターンを繰り返し実行するのに要する時間である。
【００６８】
（駆動モード切換え処理）
次に、本変形例に係る画像形成装置１が実行する駆動モード切換え処理について、図１５のフローチャートを用いて説明する。
【００６９】
まず、ＣＰＵ１０１は、ステップＳ６にて画像形成装置１を通常モードに切換えた後、カウンタ値Ｃが設定値Ｎに達したか否かを判断する（ステップＳ７ｄ）。
次いで、ＣＰＵ１０１は、ステップＳ７ｄにて設定値Ｎに達していないと判断する場合（ステップＳ７ｄ；Ｎｏ）、現在時刻がＷＴオフ時刻に至ったか否かを判断する（ステップＳ８ｄ）。そして、ＣＰＵ１０１は、ステップＳ８ｄにてＷＴオフ時刻に至っていないと判断する場合（ステップＳ８ｄ；Ｎｏ）、ＷＴオフ時刻に至るまで待機する。
一方で、ＣＰＵ１０１は、ステップＳ８ｄにてＷＴオフ時刻に至ったと判断する場合（ステップＳ８ｄ；Ｙｅｓ）、ＷＴオフ時刻に至るまでの間に検知信号を取得したか否かにより、画像形成装置１の使用状態が検知されたか否かを判断する（ステップＳ９ｄ）。
【００７０】
そして、ＣＰＵ１０１は、ステップＳ９ｄにて使用状態が検知されたと判断する場合（ステップＳ９ｄ；Ｙｅｓ）、カウント値Ｃを１増加する処理を行う（ステップＳ１０ｄ）。一方で、ＣＰＵ１０１は、ステップＳ９ｄにて使用状態が検知されていないと判断する場合（ステップＳ９ｄ；Ｎｏ）、カウント値のクリアを行う。
次いで、ＣＰＵ１０１は、画像形成装置１をスリープモードに切換える処理を行い（ステップＳ１１ａ）、ステップＳ５の処理へ移行して次の切換えパターンを実行する。
【００７１】
そして、ＣＰＵ１０１は、ステップＳ７ｄにて設定値Ｎに達したと判断する場合（ステップＳ７ｄ；Ｙｅｓ）、画像形成装置１をＥＲＰ対応オフモードに切換える（ステップＳ１３ｄ）。
【００７２】
以上、本変形例４によると、ＣＰＵ１０１は、複数回に亘る切換えパターンの実行が完了するまでの間に、画像形成装置１の使用状態が継続して検知されなかった場合に、画像形成装置１をＥＲＰ対応オフモードに切換える。つまり、本変形例４によると、実施形態１と同様の効果が得られるのは勿論のこと、ＣＰＵ１０１が長時間に亘ってユーザによる画像形成装置１の利用状況を判断した上でＥＲＰ対応オフモードへの切換えを行うので、利用状況に適したタイミングで画像形成装置１を省電力化できる。
【００７３】
なお、以上の実施形態における記述は、本発明に係る好適な画像形成装置の一例であり、これに限定されるものではない。
また、以上の実施形態における画像形成装置を構成する各部の細部構成及び細部動作に関して本発明の趣旨を逸脱することのない範囲で適宜変更可能である。
【符号の説明】
【００７４】
１              画像形成装置
１０            電源ユニット
１００          システム制御部（制御部）
１０１          ＣＰＵ
１０２          ＲＯＭ
１１０          計時部
１２０          Ｉ／Ｏ部
２００          表示操作部
３００          画像形成部
４００          エンジン制御部
４５０          トレイ開閉検知センサ部（検知部）
４６０          前扉開閉検知センサ部（検知部）
４７０          ＡＤＦ開閉検知センサ部（検知部）
５００          スキャナ／ＡＤＦ部（検知部）
５５０          原稿セット検知センサ部（検知部）
【図１】
0005429071.tif 000002
【図２】
0005429071.tif 000003
【図３】
0005429071.tif 000004
【図４】
0005429071.tif 000005
【図５】
0005429071.tif 000006
【図６】
0005429071.tif 000007
【図７】
0005429071.tif 000008
【図８】
0005429071.tif 000009
【図９】
0005429071.tif 000010
【図１０】
0005429071.tif 000011
【図１１】
0005429071.tif 000012
【図１２】
0005429071.tif 000013
【図１３】
0005429071.tif 000014
【図１４】
0005429071.tif 000015
【図１５】
0005429071.tif 000016